【手続補正書】
【提出日】平成15年12月12日(2003.12.12)
【手続補正１】
【補正対象書類名】明細書
【補正対象項目名】全文
【補正方法】変更
【補正の内容】
【発明の名称】圧縮情報記憶装置
【特許請求の範囲】
【請求項１】情報を圧縮して圧縮情報を生成する圧縮手段と、
圧縮情報を一時的に記憶する一時記憶手段と、
該一時記憶手段に記憶されるレートより速いレートで前記一時記憶手段から圧縮情報を記憶する記憶手段と、
該記憶手段の記憶不能状態を検知して前記圧縮手段の情報の圧縮率を大きくする制御手段と、を備えたことを特徴とする圧縮情報記憶装置。
【請求項２】情報を圧縮して圧縮情報を生成する圧縮手段と、
圧縮情報を一時的に記憶する一時記憶手段と、
該一時記憶手段に記憶されるレートより速いレートで前記一時記憶手段から圧縮情報を記憶する記憶手段と、
前記一時記憶手段の未使用容量を検出する残量検出手段と、
該残量検出手段で検出された未使用容量が所定の設定値より小さい時に前記記憶手段の記憶不能状態を検知し、この検知に基づき前記圧縮手段の情報の圧縮率を大きくする制御手段と、を備えたことを特徴とする圧縮情報記憶装置。
【請求項３】複数種の情報を圧縮して圧縮情報を生成する圧縮手段と、
圧縮情報を一時的に記憶する一時記憶手段と、
該一時記憶手段に記憶されるレートより速いレートで前記一時記憶手段から圧縮情報を記憶する記憶手段と、
該記憶手段の記憶不能状態を検知し、この検知に基づき複数種の情報から所定の情報のみを圧縮させるように前記圧縮手段へ指令する制御手段と、を備えたことを特徴とする圧縮情報記憶装置。
【請求項４】複数種の情報を圧縮して圧縮情報を生成する圧縮手段と、
圧縮情報を一時的に記憶する一時記憶手段と、
該一時記憶手段に記憶されるレートより速いレートで前記一時記憶手段から圧縮情報を記憶する記憶手段と、
前記一時記憶手段の未使用容量を検出する残量検出手段と、
該残量検出手段で検出された未使用容量が所定の設定値より小さい時に前記記憶手段の記憶不能状態を検知し、この検知に基づき前記複数種の情報から所定の情報のみを圧縮させるように圧縮手段へ指令する制御手段と、を備えたことを特徴とする圧縮情報記憶装置。
【請求項５】請求項１または請求項２に記載の圧縮情報記憶装置において、
圧縮率の変化を表示する表示手段をさらに備えたことを特徴とする圧縮情報記憶装置。
【請求項６】請求項３または請求項４に記載の圧縮情報記憶装置において、
複数種の情報から圧縮していない情報を表示する表示手段をさらに備えたことを特徴とする圧縮情報記憶装置。
【請求項７】請求項１または請求項２に記載の圧縮情報記憶装置において、
前記制御手段は、前記記憶手段の記憶可能状態を検知して前記圧縮手段の情報の圧縮率を元の圧縮率に戻すことを特徴とする圧縮情報記憶装置。
【請求項８】請求項２に記載の圧縮情報記憶装置において、
前記残量検出手段で検出された未使用容量が前記所定の設定値以上の他の設定値より大きい時に、前記制御手段は、前記記憶手段の記憶可能状態を検知して前記圧縮手段の情報の圧縮率を元の圧縮率に戻すことを特徴とする圧縮情報記憶装置。
【請求項９】請求項３または請求項４に記載の圧縮情報記憶装置において、
前記制御手段は、前記記憶手段の記憶可能状態を検知して前記圧縮手段の複数種の全ての情報を圧縮することを特徴とする圧縮情報記憶装置。
【請求項１０】請求項４に記載の圧縮情報記憶装置において、
前記残量検出手段で検出された未使用容量が前記所定の設定値以上の他の設定値より大きい時に、前記制御手段は、前記記憶手段の記憶可能状態を検知して前記圧縮手段の複数種の情報を圧縮することを特徴とする圧縮情報記憶装置。
【請求項１１】請求項４に記載の圧縮情報記憶装置において、
前記制御手段からの指示により付加情報を前記記録手段に出力する付加情報発生手段をさらに備えたことを特徴とする圧縮情報記憶装置。
【請求項１２】請求項１１に記載の圧縮情報記憶装置において、
前記付加情報は、前記付加情報発生手段に内蔵されており、前記複数種の情報のうちのいずれか一種類の情報であることを特徴とする圧縮情報記憶装置。
【請求項１３】請求項１１に記載の圧縮情報記憶装置において、
前記付加情報は、前記制御手段が前記圧縮手段に複数種の情報から所定の情報のみを圧縮する指示を行った時の情報以外のいずれか一の情報であることを特徴とする圧縮情報記憶装置。
【請求項１４】請求項１１に記載の圧縮情報記憶装置において、
前記制御手段は、記録不能状態から記録可能状態までの期間分を前記記録手段に記録する場合に、前記一時記憶手段に記憶されている圧縮情報と前記付加情報とを共に記録することを特徴とする圧縮情報記憶装置。
【請求項１５】情報を圧縮して圧縮情報を生成する圧縮手段と、
前記圧縮手段の情報の圧縮率を変更する制御手段と、
圧縮率の変化を表示する表示手段と、を備えたことを特徴とする圧縮情報記憶装置。
【請求項１６】請求項１５に記載の圧縮情報記憶装置において、
前記圧縮情報を一時的に記憶する一時記憶手段をさらに備え、
前記制御手段は、前記一時記憶手段のメモリ残量により前記圧縮手段の情報の圧縮率を変更することを特徴とする圧縮情報記憶装置。
【請求項１７】複数種の情報を圧縮して圧縮情報を生成する圧縮手段と、
前記圧縮手段を制御して複数種の情報から所定の情報のみを圧縮する制御手段と、
前記複数種の情報から、圧縮していない情報を表示する表示手段と、
を備えたことを特徴とする圧縮情報記憶装置。
【請求項１８】請求項１７に記載の圧縮情報記憶装置において、
前記圧縮情報を一時的に記憶する一時記憶手段をさらに備え、
前記制御手段は、前記一時記憶手段のメモリ残量により前記圧縮手段を制御して複数種の情報から所定の情報のみを圧縮することを特徴とする圧縮情報記憶装置。
【請求項１９】情報を圧縮して圧縮情報を生成する圧縮手段と、
前記圧縮情報を記憶する記憶手段と、
前記記憶手段の記憶不能状態を検知し、この検知に基づき前記圧縮手段の情報の圧縮率を大きくする制御手段と、を備えたことを特徴とする圧縮情報記憶装置。
【請求項２０】情報を圧縮して圧縮情報を生成する圧縮手段と、
前記圧縮情報を一時的に記憶する一時記憶手段と、
前記一時記憶手段から送られていた圧縮情報を記憶する記憶手段と、
前記一時記憶手段の未使用容量を検出する残量検出手段と、
前記残量検出手段で検出された未使用容量が所定の設定値より小さい時に前記記憶手段の記憶不能状態を検知し、この検知に基づき前記圧縮手段の情報の圧縮率を大きくする制御手段と、を備えたことを特徴とする圧縮情報記憶装置。
【請求項２１】複数種の情報を圧縮して圧縮情報を生成する圧縮手段と、
前記圧縮情報を記憶する記憶手段と、
前記記憶手段の記憶不能状態を検知し、この検知に基づき複数種の情報から所定の情報のみを圧縮させるように前記圧縮手段へ指示する制御手段と、を備えたことを特徴とする圧縮情報記憶装置。
【請求項２２】複数種の情報を圧縮して圧縮情報を生成する圧縮手段と、
圧縮情報を一時的に記憶する一時記憶手段と、
該一時記憶手段から送られてきた圧縮情報を記憶する記憶手段と、
前記一時記憶手段の未使用容量を検出する残量検出手段と、
該残量検出手段で検出された未使用容量が所定の設定値より小さい時に前記記憶手段の記憶不能状態を検知し、この検知に基づき複数種の情報から所定の情報のみを圧縮させるように圧縮手段へ指示する制御手段と、を備えたことを特徴とする圧縮情報記憶装置。
【発明の詳細な説明】
【０００１】
【発明の属する技術分野】
本発明は、情報記憶装置に関し、特に、情報を圧縮して記憶する圧縮情報記憶装置に関する。
【０００２】
【従来の技術】
近年、画像情報や音声情報をはじめとする各種の情報がデジタル化されるにつれてデジタル情報の量が飛躍的に増大して来た。これに伴い、情報記憶装置の大容量化、高密度化が推進されるとともに、デジタル信号処理によって情報量を圧縮する技術が導入されてきた。
【０００３】
例えば、画素数６４０×４８０、１画素当たりＲＧＢ各８ビットの画像を３０画面／秒で記録再生する場合、１秒当たり約２２０Ｍビットの情報が発生し、これを２時間分記憶するには、約２００ＧＢの記憶容量が必要になる。この膨大な情報を圧縮処理することにより、転送レートで４〜５Ｍｂｐｓ、２時間分の記憶容量で数ＧＢにまで圧縮することが可能になって来ている。この画像圧縮のように、１／１００倍に近い圧縮処理を行なう場合、圧縮した情報を伸長処理しても元の情報と全く同じ情報に戻すことは出来ない。このため、圧縮による画質の劣化が発生する。一般に、圧縮率を高くすればするほど、すなわち情報量を少なくすればするほど、画質の劣化が目立ってくる。そこで、画質の劣化が発生し易い動きの激しい場面の画像に対しては、多くの情報量を割り当て、逆に動きの小さな場面の画像に対しては、少ない情報量を割り当てる方法が提案されている。この方法によれば、画像に応じて情報量の割り当てを変化させるため、言い換えると、画像に応じて情報量の圧縮率を変化させるため、画質の劣化を低減できる。
【０００４】
つぎに、情報を圧縮することによる、他の問題点について説明する。携帯型のディスク装置においては、使用中の振動、衝撃等によるサーボ外れの防止が課題となっており、この課題を解決するため、防振機構を備えたり、サーボ特性を向上させるなどの対策が実施されて来た。しかし、これらの対策のみでは大きな衝撃等には対応出来ず、サーボが外れてしまい記録再生が出来なくなる場合があった。このような問題を解決し耐震性を向上させた装置が特開平４−１０３０７９号公報に開示されている。この装置では、圧縮された情報は、一旦バッファメモリに蓄えられ、その後、ディスクに記録される。以下、この従来の構成、動作について図面を参照しながら説明する。
【０００５】
図７に、従来の圧縮情報記憶装置のブロック図を示す。入力された信号は、ディスク装置４の記録時には、Ａ／Ｄ変換器７によりデジタル信号に変換され圧縮伸長回路１２に送られる一方、ディスク装置４の再生時には、圧縮伸長回路１２を介してＤ／Ａ変換器１３によりアナログ信号に変換されて出力される。圧縮伸長回路１２は、情報の圧縮と伸長を行なう回路であり、ここでは、本発明に関係する圧縮処理について説明する。圧縮伸長回路１２に入力されたデータは、圧縮処理を施される。圧縮処理の方法については数多くの方法が提案されているが、画像情報または音声情報を対象にする場合、高い圧縮率を得るために人間の視覚特性や、聴覚特性が利用される。この結果、入力されたデータは、数分の一から数十分の一にまで圧縮される。圧縮伸長回路１２で圧縮されたデータは、メモリコントローラ３を経由してバッファメモリ２に一旦記憶される。メモリコントローラ３は、圧縮伸長回路１２、バッファメモリ２、及びディスク装置４の間のデータの流れをコントロールする回路であり、圧縮伸長回路１２からバッファメモリ２に転送したデータのバッファメモリ２におけるアドレスやバッファメモリ２からディスク装置４に送ったデータのアドレスなどを管理すると共に、それらのアドレスを元にバッファメモリ２の残量の検出も行なう。ディスク装置４はデータを記憶するための装置であり、光ディスク装置やハードディスク装置などが用いられる。いずれの装置も、光ピックアップや磁気ヘッドをミクロンオーダーで精密に位置決め制御しており、このため装置に大きな振動や衝撃が加わると、光ピックアップや磁気ヘッドの位置が正規の位置からずれてしまい、記録再生ができなくなる。
【０００６】
次に、従来の圧縮情報記憶装置の動作について説明する。図８にバッファメモリ２の残量の時間的な変化を示す。バッファメモリ２の残量とは、使用可能なメモリ量を意味し、バッファメモリ２の全容量からディスク装置４に転送されずにバッファメモリ２に残っているデータ量を引いたものである。よって、圧縮伸長回路１２からバッファメモリ２にデータが転送されると、バッファメモリ２の残量は減少し、バッファメモリ２からディスク装置４へデータが転送されると、バッファメモリ２の残量は増加する。図８では、時刻０において圧縮伸長回路１２により圧縮が開始されている。この時刻０においてはバッファメモリ２にはデータは全くなく、従って、バッファメモリ２の残量はバッファメモリ２の全容量に等しい。圧縮伸長回路１２からは圧縮された情報が一定の転送レートでバッファメモリ２に転送されるので、時間の経過と共にバッファメモリ２の残量は低下していく。バッファメモリ２の残量が、時刻Ｔ１において、あらかじめ決められている第１の設定値ＴＨ１を下回ると、メモリコントローラ３は、それをシステムコントローラ５に通知する。これを受けてシステムコントローラ５は、メモリコントローラ３に対してバッファメモリ２からディスク装置４へのデータの転送を開始するように指令を与えると共に、ディスク装置４に対して、ディスクへのデータの書き込み開始の指令を出す。圧縮伸長回路１２からバッファメモリ２へのデータ転送レートに比べて、バッファメモリ２からディスク装置４へのデータ転送レートは高く設定されているので、時間の経過と共に、バッファメモリ２に一時的に記憶されていた圧縮データは減少していき、バッファメモリ２の残量は増加していく。次に、時刻Ｔ２において、バッファメモリ２の残量が第２の設定値ＴＨ２を越えると、メモリコントローラ３は、それをシステムコントローラ５に通知する。これを受けてシステムコントローラ５は、メモリコントローラ３に対してバッファメモリ２からディスク装置４へのデータの転送を停止するように指令を与えると共に、ディスク装置４に対して、ディスクへのデータの書き込み停止の指令を出す。通常の動作時においては、これ以降、バッファメモリ２の残量がＴＨ１を下回るとディスク装置４へデータを書き込み、ＴＨ２を上回るとディスク装置４へのデータの書き込みを停止するということを繰り返す。
【０００７】
さて、ここで時刻Ｔ３において、衝撃のためディスク装置４へのデータの書き込みが出来なくなり、書き込み可能な状態に復帰するのに時刻Ｔ５までの時間を要したとする。バッファメモリ２の残量が時間とともに減少していき、時刻Ｔ４において、第１の設定値ＴＨ１を下回るが、この時刻ではディスク装置４は、まだデータの書き込みをできない状態なので、システムコントローラ５はバッファメモリ２からディスク装置４へのデータ転送を行わない。このため、さらにバッファメモリ２の残量は、減少していく。時刻Ｔ５において、システムコントローラ５は、ディスク装置４がデータ書き込み可能な状態になったことを検出し、バッファメモリ２からディスク装置４へのデータ転送を開始する指示をメモリコントローラ３に与える。これによりバッファメモリ２の残量は増加していき、これ以降は通常の動作を繰り返す。
【０００８】
このように、ディスク装置４が一時的に書き込み不能状態に陥っても、バッファメモリ２の残量が０になる前に書き込み可能な状態に復帰できれば、その間のデータをバッファメモリ２に一時的に蓄積しておくことにより、データの欠落もなく正しいデータをディスク装置４に書き込む事ができるので耐震性能が向上する。
【０００９】
以上のような動作を実現するには、バッファメモリを備え、しかも、入力からバッファメモリへのデータ転送レートに比べて、バッファメモリからディスク装置へのデータ転送レートのほうが高いという条件を満たす装置であれば良いのであるが、入力からバッファメモリに至る経路に圧縮回路を配置すると、入力からバッファメモリへのデータ転送レートを下げることが出来るので、この条件を満足することが容易になる。前述の動画データの例では、圧縮によりデータ転送レートを２２０Ｍｂｐｓから４Ｍｂｐｓまで低減できる。よって、ディスク装置へのデータ転送レートは、圧縮しない場合２２０Ｍｂｐｓ以上必要であるが、圧縮することにより４Ｍｂｐｓ程度まで条件を緩和できる。
【００１０】
以上説明したように、従来技術によれば、バッファメモリと圧縮回路を組み合わせることにより、高い耐震性をもった装置を容易に実現することができる。
【００１１】
【発明が解決しようとする課題】
しかし、従来の装置をデータ転送レートの速い情報に適用しようとすると、必要なバッファメモリの量が大きくなってしまう。例えば動画データの場合、衝撃からの復帰に５秒を要するとすれば、４Ｍｂｐｓ×５ｓ＝２０Ｍｂものバッファメモリが必要となる。このように、従来の装置では、特にデータ転送レートの速い情報に対しては、必要なバッファメモリ量が多くなり、高価な装置になってしまうという問題があった。
【００１２】
本発明の目的は、このような問題を解決し、安価で耐震性能の高い圧縮情報記憶装置を提供することにある。
【００１３】
【課題を解決するための手段】
本発明の圧縮情報記憶装置は、情報を圧縮して圧縮情報を生成する圧縮手段と、圧縮情報を一時的に記憶する一時記憶手段と、該一時記憶手段に記憶されるレートより速いレートで前記一時記憶手段から圧縮情報を記憶する記憶手段と、該記憶手段の記憶不能状態を検知して前記圧縮手段の情報の圧縮率を大きくする制御手段と、を備えたことを特徴とする。
【００１４】
本発明の圧縮情報記憶装置は、情報を圧縮して圧縮情報を生成する圧縮手段と、圧縮情報を一時的に記憶する一時記憶手段と、該一時記憶手段に記憶されるレートより速いレートで前記一時記憶手段から圧縮情報を記憶する記憶手段と、前記一時記憶手段の未使用容量を検出する残量検出手段と、該残量検出手段で検出された未使用容量が所定の設定値より小さい時に前記記憶手段の記憶不能状態を検知し、この検知に基づき前記圧縮手段の情報の圧縮率を大きくする制御手段と、を備えたことを特徴とする。
【００１５】
本発明の圧縮情報記憶装置は、複数種の情報を圧縮して圧縮情報を生成する圧縮手段と、圧縮情報を一時的に記憶する一時記憶手段と、該一時記憶手段に記憶されるレートより速いレートで前記一時記憶手段から圧縮情報を記憶する記憶手段と、該記憶手段の記憶不能状態を検知し、この検知に基づき複数種の情報から所定の情報のみを圧縮させるように前記圧縮手段へ指令する制御手段と、を備えたことを特徴とする。
【００１６】
本発明の圧縮情報記憶装置は、複数種の情報を圧縮して圧縮情報を生成する圧縮手段と、圧縮情報を一時的に記憶する一時記憶手段と、該一時記憶手段に記憶されるレートより速いレートで前記一時記憶手段から圧縮情報を記憶する記憶手段と、前記一時記憶手段の未使用容量を検出する残量検出手段と、該残量検出手段で検出された未使用容量が所定の設定値より小さい時に前記記憶手段の記憶不能状態を検知し、この検知に基づき前記複数種の情報から所定の情報のみを圧縮させるように圧縮手段へ指令する制御手段と、を備えたことを特徴とする。
【００１７】
本発明の圧縮情報記憶装置は、上記構成に加えて、圧縮率の変化を表示する表示手段をさらに備えたことを特徴とする。
【００１８】
本発明の圧縮情報記憶装置は、上記構成に加えて、複数種の情報から圧縮していない情報を表示する表示手段をさらに備えたことを特徴とする。
【００１９】
本発明の圧縮情報記憶装置は、上記構成に加えて、前記制御手段は、前記記憶手段の記憶可能状態を検知して前記圧縮手段の情報の圧縮率を元の圧縮率に戻すことを特徴とする。
【００２０】
本発明の圧縮情報記憶装置は、上記構成に加えて、前記残量検出手段で検出された未使用容量が前記所定の設定値以上の他の設定値より大きい時に、前記制御手段は、前記記憶手段の記憶可能状態を検知して前記圧縮手段の情報の圧縮率を元の圧縮率に戻すことを特徴とする。
【００２１】
本発明の圧縮情報記憶装置は、上記構成に加えて、前記制御手段は、前記記憶手段の記憶可能状態を検知して前記圧縮手段の複数種の全ての情報を圧縮することを特徴とする。
【００２２】
本発明の圧縮情報記憶装置は、上記構成に加えて、前記残量検出手段で検出された未使用容量が前記所定の設定値以上の他の設定値より大きい時に、前記制御手段は、前記記憶手段の記憶可能状態を検知して前記圧縮手段の複数種の情報を圧縮することを特徴とする。
【００２３】
本発明の圧縮情報記憶装置は、上記構成に加えて、前記制御手段からの指示により付加情報を前記記録手段に出力する付加情報発生手段をさらに備えたことを特徴とする圧縮情報記憶装置。
【００２４】
本発明の圧縮情報記憶装置は、上記構成に加えて、前記付加情報は、前記付加情報発生手段に内蔵されており、前記複数種の情報のうちのいずれか一種類の情報であることを特徴とする。
【００２５】
本発明の圧縮情報記憶装置は、上記構成に加えて、前記付加情報は、前記制御手段が前記圧縮手段に複数種の情報から所定の情報のみを圧縮する指示を行った時の情報以外のいずれか一の情報であることを特徴とする。
【００２６】
本発明の圧縮情報記憶装置は、上記構成に加えて、前記制御手段は、記録不能状態から記録可能状態までの期間分を前記記録手段に記録する場合に、前記一時記憶手段に記憶されている圧縮情報と前記付加情報とを共に記録することを特徴とする。
【００２７】
本発明の圧縮情報記憶装置は、上記構成に加えて、情報を圧縮して圧縮情報を生成する圧縮手段と、前記圧縮手段の情報の圧縮率を変更する制御手段と、圧縮率の変化を表示する表示手段と、を備えたことを特徴とする。
【００２８】
本発明の圧縮情報記憶装置は、上記構成に加えて、前記圧縮情報を一時的に記憶する一時記憶手段をさらに備え、前記制御手段は、前記一時記憶手段のメモリ残量により前記圧縮手段の情報の圧縮率を変更することを特徴とする。
【００２９】
本発明の圧縮情報記憶装置は、複数種の情報を圧縮して圧縮情報を生成する圧縮手段と、前記圧縮手段を制御して複数種の情報から所定の情報のみを圧縮する制御手段と、前記複数種の情報から、圧縮していない情報を表示する表示手段と、を備えたことを特徴とする。
【００３０】
本発明の圧縮情報記憶装置は、上記構成に加えて、前記圧縮情報を一時的に記憶する一時記憶手段をさらに備え、前記制御手段は、前記一時記憶手段のメモリ残量により前記圧縮手段を制御して複数種の情報から所定の情報のみを圧縮することを特徴とする。
【００３１】
本発明の圧縮情報記憶装置は、情報を圧縮して圧縮情報を生成する圧縮手段と、前記圧縮情報を記憶する記憶手段と、前記記憶手段の記憶不能状態を検知し、この検知に基づき前記圧縮手段の情報の圧縮率を大きくする制御手段と、を備えたことを特徴とする。
【００３２】
本発明の圧縮情報記憶装置は、情報を圧縮して圧縮情報を生成する圧縮手段と、前記圧縮情報を一時的に記憶する一時記憶手段と、前記一時記憶手段から送られていた圧縮情報を記憶する記憶手段と、前記一時記憶手段の未使用容量を検出する残量検出手段と、前記残量検出手段で検出された未使用容量が所定の設定値より小さい時に前記記憶手段の記憶不能状態を検知し、この検知に基づき前記圧縮手段の情報の圧縮率を大きくする制御手段と、を備えたことを特徴とする。
【００３３】
本発明の圧縮情報記憶装置は、複数種の情報を圧縮して圧縮情報を生成する圧縮手段と、前記圧縮情報を記憶する記憶手段と、前記記憶手段の記憶不能状態を検知し、この検知に基づき複数種の情報から所定の情報のみを圧縮させるように前記圧縮手段へ指示する制御手段と、を備えたことを特徴とする。
【００３４】
本発明の圧縮情報記憶装置は、複数種の情報を圧縮して圧縮情報を生成する圧縮手段と、圧縮情報を一時的に記憶する一時記憶手段と、該一時記憶手段から送られてきた圧縮情報を記憶する記憶手段と、前記一時記憶手段の未使用容量を検出する残量検出手段と、該残量検出手段で検出された未使用容量が所定の設定値より小さい時に前記記憶手段の記憶不能状態を検知し、この検知に基づき複数種の情報から所定の情報のみを圧縮させるように圧縮手段へ指示する制御手段と、を備えたことを特徴とする。
【００３５】
【発明の実施の形態】
本発明の実施の形態について、以下図面を参照しながら説明する。
【００３６】
図１に、本発明の第１の実施の形態における圧縮情報記憶装置のブロック図を示す。ここでは、カメラ一体型ビデオレコーダーに本発明を適用した場合を示している。カメラ部８により電気信号に変換された画像情報は、Ａ／Ｄ変換器７によりデジタル信号に変換され圧縮回路１に送られる。圧縮回路１に入力されたデータは、圧縮処理を施される。圧縮処理の方法については数多くの方法が提案されているが、画像情報を対象にする場合、高い圧縮率を得るために人間の視覚特性が利用される。その結果、入力されたデータは、数十分の一にまで圧縮される。第１の実施の形態における圧縮回路１では、データの圧縮率をシステムコントローラ５からの指令により変えられるようになっている。このため、圧縮されたデータには、そのときの圧縮率を示すデータが付加されている。圧縮回路１で圧縮されたデータは、メモリコントローラ３を経由してバッファメモリ２に一旦記憶される。メモリコントローラ３は、圧縮回路１とバッファメモリ２およびディスク装置４の間のデータの流れをコントロールする回路であり、圧縮回路１からバッファメモリ２に転送したデータのバッファメモリ２におけるアドレスやバッファメモリ２からディスク装置４に送ったデータのアドレスなどを管理すると共に、それらのアドレスを元にバッファメモリ２の残量の検出も行なう。ディスク装置４はデータを記憶するための装置であり、光ディスク装置が用いられている。光ディスク装置はアクセス速度が速く、ディスクを交換できる記憶装置としては最も記憶容量が大きいので、画像情報のように大きな記憶容量が必要な場合には最適な装置である。しかし、光ディスク装置では、光ピックアップをミクロンオーダーで精密に位置決め制御しており、このため装置に大きな振動や衝撃が加わると、光ピックアップの位置が正規の位置からずれてしまい、記録ができなくなる。特に、光ディスク装置の光ピックアップは、ハードディスク装置の磁気ヘッドに比べて重いため、振動や衝撃による影響が大きい。つまり、一旦正規の位置からずれると、元の位置に戻るまでに大きな時間を要する。
【００３７】
次に、第１の実施の形態における動作を説明する。図２（ａ）に、バッファメモリ２の残量の時間的な変化を示す。バッファメモリ２の残量とは、使用可能なメモリ量を意味し、バッファメモリ２の全容量からディスク装置４に転送されずにバッファメモリ２に残っているデータ量を引いたものである。よって、圧縮回路１からバッファメモリ２にデータが転送されると、バッファメモリ２の残量は減少し、バッファメモリ２からディスク装置４へデータが転送されると、バッファメモリ２の残量は増加する。図２（ｂ）に、圧縮回路１の圧縮率の時間的な変化を示す。この圧縮率が高いほど圧縮回路１から出力されるデータ量が少ないことを意味し、結果として圧縮率が高いほど出力データのデータ転送レートは低くなる。図２（ａ）では、時刻０において録画が開始されている。録画の開始と同時に圧縮回路１により圧縮が開始される。この時刻０においてはバッファメモリ２にはデータは全くなく、従って、バッファメモリ２の残量はバッファメモリ２の全容量に等しい。圧縮回路１からは圧縮された情報が一定の転送レートでバッファメモリ２に転送されるので、時間の経過と共にバッファメモリ２の残量は低下していく。バッファメモリ２の残量が、時刻Ｔ１において、あらかじめ決められている第１の設定値ＴＨ１を下回ると、メモリコントローラ３は、それをシステムコントローラ５に通知する。これを受けてシステムコントローラ５は、メモリコントローラ３に対してバッファメモリ２からディスク装置４へのデータの転送を開始するように指令を与えると共に、ディスク装置４に対して、ディスクへのデータの書き込み開始の指令を出す。圧縮回路１からバッファメモリ２へのデータ転送レートに比べて、バッファメモリ２からディスク装置４へのデータ転送レートは高く設定されていので、時間の経過と共に、バッファメモリ２に一時的に記憶されていた圧縮データは減少していき、バッファメモリ２の残量は増加していく。次に、時刻Ｔ２において、バッファメモリ２の残量が第２の設定値ＴＨ２を越えると、メモリコントローラ３は、それをシステムコントローラ５に通知する。これを受けてシステムコントローラ５は、メモリコントローラ３に対してバッファメモリ２からディスク装置４へのデータの転送を停止するように指令を与えると共に、ディスク装置４に対して、ディスクへのデータの書き込み停止の指令を出す。通常の動作時においては、これ以降、バッファメモリ２の残量がＴＨ１を下回るとディスク装置４へデータを書き込み、ＴＨ２を上回るとディスク装置４へのデータの書き込みを停止するということを繰り返す。また、このような通常の動作時においては、圧縮率はあらかじめ決められた規定値Ｋ１に保持されている。
【００３８】
さて、ここで時刻Ｔ３において衝撃のためディスク装置４へのデータの書き込みが出来なくなり、書き込み可能な状態に復帰するのに時刻Ｔ７までの時間を要したとする。バッファメモリ２の残量が時間とともに減少していき、時刻Ｔ４において、第１の設定値ＴＨ１を下回るが、この時点ではまだディスク装置４はデータの書き込みをできない状態なので、システムコントローラ５はバッファメモリ２からディスク装置４へのデータ転送を行わない。このため、さらにバッファメモリ２の残量は、減少していく。時刻Ｔ５において、バッファメモリ２の残量が第３の設定値ＴＨ３を下回るとメモリコントローラ３は、それをシステムコントローラ５に通知する。これを受けてシステムコントローラ５は、圧縮回路１に圧縮率をＫ２に上げるように指令を与える。これに応じて圧縮回路１は、データの圧縮率をＫ２に上げて、バッファメモリ２へのデータの転送量を減らす。画像情報の圧縮処理は、所定のデータ量からなるデータブロック毎に行われ、１つのデータブロックを処理している途中で圧縮率を変更することはできないので、圧縮回路１が圧縮率を上げるのは、システムコントローラ５からの指令を受けた時点において処理していたデータブロックの処理が完了し、つぎのデータブロックを処理する時点Ｔ６からになる。時刻Ｔ６において、システムコントローラ５は、圧縮回路１における圧縮率がＫ２に変更されたことを検出し、それを表示装置６に表示する。具体的には、カメラ一体型ビデオレコーダーの場合、液晶を使ったモニタ画面を備えているので、画面中に圧縮率が上がったことを表示する。また、表示素子としてＬＥＤを使い、圧縮率が上がった時にＬＥＤを発光させるようにしてもよい。このように、表示を行なうことにより、使用者はそれに対応した措置を講じる事ができる。例えば、前述のように圧縮率を上げると一般的には画質が劣化する。しかし、圧縮率が上がったことを使用者が認識して、動きの速い映像を録画することを避けるようにカメラ操作をすれば、画質の劣化は抑えられる。また、圧縮率が上がった原因は、大きな振動や衝撃がカメラに加わったことにあるので、カメラに振動や衝撃が加わらないように使用者がカメラを保持することにより、ディスク装置４が衝撃による書き込み不能状態から復帰するまでの時間を短縮できる。液晶モニタにこのような使用方法の指示を表示しても良い。こうすると、使用者は、画面上の指示通りに操作するだけで適切な対応ができる。時刻Ｔ６において圧縮率が上がるため、圧縮回路１からバッファメモリ２へ転送されるデータの転送レートが下がる。これによりバッファメモリ２の残量の減少速度が低下し、図２（ａ）に示すように、Ｔ６の時点から傾きが緩やかになる。
【００３９】
その後、時刻Ｔ７において、システムコントローラ５は、ディスク装置４がデータ書き込み可能な状態になったことを検出し、バッファメモリ２からディスク装置４へのデータ転送の開始をメモリコントローラ３に指示する。これによりバッファメモリ２の残量は増加していく。これと同時にシステムコントローラ５は、圧縮回路１に圧縮率をＫ１に戻すように指示する。圧縮率を上げたときと同様に、指示が与えられたときに処理していたデータブロックの処理が完了し、次のデータブロックの処理を開始する時点Ｔ８から、圧縮回路１は、圧縮率をＫ１に戻す。システムコントローラ５は、圧縮率がＫ１になったことを検出し、表示装置６にそれを表示する。これ以降は通常の動作を繰り返していく。
【００４０】
第１の実施の形態においては、ディスク装置４がデータ書き込み可能な状態になったことを検出し、圧縮率をＫ１に戻すようにしている。こうすることにより、早い時点で圧縮率が下がり、よって画像の劣化も早い時点で解消する。
【００４１】
次に、バッファメモリ２の残量が所定値以上になったときに圧縮率をＫ１に戻す他の場合について説明する。その場合のバッファメモリ２の残量と圧縮率の時間的な変化を図３（ａ）、（ｂ）に示す。ここで、Ｔ７の時点までは、図２（ａ）、（ｂ）と同一なので、それ以降について説明する。時刻Ｔ７においてシステムコントローラ５は、ディスク装置４がデータ書き込み可能な状態になったことを検出し、バッファメモリ２からディスク装置４へのデータ転送の開始をメモリコントローラ３に指示する。これによりバッファメモリ２の残量は増加していく。さらに、バッファメモリ２の残量がＴＨ４になった時刻Ｔ８でシステムコントローラ５は、圧縮回路１に圧縮率をＫ１に戻すように指示する。指示が与えられた時に処理していたデータブロックの処理が完了し、次のデータブロックの処理を開始する時点Ｔ９から、圧縮回路１は圧縮率をＫ１に戻す。システムコントローラ５は、圧縮率がＫ１になったことを検出し、表示装置６にそれを表示する。これ以降は通常の動作を繰り返していく。このように、バッファメモリ２の残量がＴＨ４まで増えるのを待ってから圧縮率を元に戻すようにすれば、バッファメモリ２の残量に余裕ができた時点で圧縮率を下げることになるので、連続して発生する衝撃による記録不能状態に対しても、バッファメモリ２の残量が０になるまでの時間に余裕ができる。なお、ＴＨ４はＴＨ３より大きければよいが、ＴＨ１より大きい方がより好ましい。
【００４２】
以上の動作を図４のフローチャートを用いて説明する。記録を開始すると、まずメモリ残量とＴＨ１を比較する（Ｓ１）。メモリ残量がＴＨ１より少なければ、ディスク装置４が記録可能かどうか調べる（Ｓ２）。記録可能であれば、バッファメモリ２からディスク装置４へのデータ転送を開始する（Ｓ３）。次に、記録終了かどうかを調べ（Ｓ４）、記録を続ける場合、Ｓ１を再実行する。上述したループを実行しているので、メモリ残量はＴＨ１より増加しているので、Ｓ５に進み、ここでメモリ残量とＴＨ２を比較する。ディスク装置４の記録動作に伴ってメモリ残量がＴＨ２より増えている場合、バッファメモリ２からディスク装置４へのデータ転送を停止する（Ｓ６）。以上の動作が、通常の記録動作である。
【００４３】
次に、デイスク装置４が記録不能になった場合のフローについて説明する。この場合、メモリ残量がＴＨ１より少なくディスク装置４が記録不能状態であるとする。つまり、Ｓ２からＳ７に移り、そこで、メモリ残量をＴＨ３と比較する。メモリ残量がＴＨ３より少なければ、圧縮率をＫ２に上げると同時にそれを表示する（Ｓ８）。この状態でディスク装置４が記録可能になるのを待つ（Ｓ９）。記録可能になれば、ディスク装置４が記録可能になったことを検出して圧縮率をＫ１に戻し、それを表示する。
【００４４】
図２（ａ）においてＴ６からＴ８までの間、圧縮率が上がることによって、バッファメモリ２の残量の減少速度が低下している。これは、バッファメモリ２の残量が０になるまでの時間が長くなることを意味し、ディスク装置４が書き込み不能状態から復帰するまでの時間に余裕ができることになる。また、バッファメモリ２の残量が０になるまでの時間を同一とすれば使用するメモリ量を低減できる。この点について、さらに詳しく説明する。一例として、１６Ｍｂのメモリをバッファメモリ２に使用し、初めの３秒間は４Ｍｂｐｓの転送レートでメモリにデータを送り、その後データ転送レートを落として１．４Ｍｂｐｓでデータを送る場合に、バッファメモリの残量が０になるまでの時間を計算すると、３ｓ＋（１６Ｍｂ−４Ｍｂｐｓ×３ｓ）／１．４Ｍｂｐｓ＝５．８６ｓとなる。バッファメモリ２の残量が０になるまでに５．８６秒を要することから、ディスク装置４が書き込み不能状態から復帰するまでに最大５．８６秒の余裕があることがわかる。従来の装置のように４Ｍｂｐｓ固定の転送レートの場合、１６Ｍｂ／４Ｍｂｐｓ＝４ｓとなり、４秒しか余裕がないので、本発明による第１の実施の形態では、復帰時間が約１．５倍に延ばせることがわかる。逆に５．８６秒の復帰時間を確保するためのバッファメモリ量を計算すると、従来の装置では、４Ｍｂｐｓ×５．８６ｓ＝２３Ｍｂとなり、本発明の第１の実施の形態では、約３０％メモリ量を削減できることがわかる。このように、本発明の第１の実施の形態によれば、バッファメモリ量の大幅な削減あるいは書き込み不能状態からの復帰時間の余裕の増加が実現できる。また、圧縮率が上がったことを表示するので、使用者はそれに応じて画質の劣化が少なくなるような使用方法や記録不能状態からの復帰が速くなるような使用法をとることが可能になる。
【００４５】
以上説明した第１の実施の形態においては、圧縮率を２段階に切り替える例について述べたが、３段階以上の切り替えを行っても良い。この場合、圧縮率の切り替え制御が複雑になるが、画質が徐々に劣化していくので、画質の劣化が目立ちにくいという利点がある。また、上記第１の実施の形態では、バッファメモリ２の残量を所定値に固定したが、バッファメモリ２の残量に応じて圧縮率を可変にしてもよい。
【００４６】
第１の実施の形態においては、バッファメモリ２の残量がＴＨ３を下回った時点で圧縮率を高くしたが、ディスク装置４が記録不能状態になった時刻Ｔ３において圧縮率を高くし、ディスク装置４が記録可能になった時刻Ｔ７で圧縮率をＫ１に戻すようにしても良い。この場合、第１の実施の形態に比べて早い時刻で圧縮率を高くすることになるので、それにともなう画像の劣化も早い時刻で始まることになる。しかし、第１の実施の形態に比べ更にバッファメモリ量を削減できる。
【００４７】
次に、本発明の第２の実施の形態について説明する。図５に、本発明の第２の実施の形態における圧縮情報記憶装置のブロック図を示す。ここでは、第１の実施の形態と同様にカメラ一体型ビデオレコーダーに本発明を適用した場合を示している。カメラ部８により電気信号に変換された画像情報は、Ａ／Ｄ変換器７によりデジタル信号に変換され、圧縮回路１に送られる。同様に音声部９により電気信号に変換された音声情報は、Ａ／Ｄ変換器１０によりデジタル信号に変換され、圧縮回路１に送られる。圧縮回路１に入力されたデータは、圧縮処理を施される。圧縮回路１には、画像データと音声データが入力されており、画像データに対しては画像データに適した圧縮方法が適用され、音声データに対しては音声データに適した圧縮方法が適用され、２つのデータが圧縮回路１においてそれぞれ同時に並列に圧縮処理される。圧縮されたデータは画像データと音声データとが１つのデータ系列にまとめられる。この過程で画像データには画像データを示す識別符号が、音声データには音声データを示す識別符号が付加される。画像データと音声データはそれぞれ並列に圧縮処理されるため、圧縮回路１においては、画像データのみの圧縮、もしくは音声データのみの圧縮も可能であり、これはシステムコントローラ５の指令により選択できる。圧縮回路１で圧縮されたデータは、メモリコントローラ３を経由してバッファメモリ２に一旦記憶される。メモリコントローラ３は、圧縮回路１とバッファメモリ２およびディスク装置４の間のデータの流れをコントロールする回路であり、圧縮回路１からバッファメモリ２に転送したデータのバッファメモリ２におけるアドレスやバッファメモリ２からディスク装置４に送ったデータのアドレスなどを管理すると共に、それらのアドレスを元にバッファメモリ２の残量の検出も行なう。ディスク装置４はデータを記憶するための装置であり、光ディスク装置が用いられている。付加データ発生回路１１は、音声データのみが圧縮された場合、所定の画像データを付加するための回路である。
【００４８】
次に、第２の実施の形態における動作を説明する。図６（ａ）に、バッファメモリ２の残量の時間的な変化を示す。図６（ｂ）に、画像データの圧縮処理の状態を示す。画像データの圧縮処理を行っているときはＯＮ、行っていないときはＯＦＦとなる。同様に図６（ｃ）に、音声データの圧縮処理の状態を示す。図６（ａ）では、時刻０において録画が開始されている。録画の開始と同時に圧縮回路１により圧縮が開始される。この時刻０においてはバッファメモリ２にはデータは全くなく、従って、バッファメモリ２の残量はバッファメモリ２の全容量に等しい。圧縮回路１からは圧縮された情報が一定の転送レートでバッファメモリ２に転送されるので、時間の経過と共にバッファメモリ２の残量は低下していく。バッファメモリ２の残量が、時刻Ｔ１において、あらかじめ決められている第１の設定値ＴＨ１を下回ると、メモリコントローラ３は、それをシステムコントローラ５に通知する。これを受けてシステムコントローラ５は、メモリコントローラ３に対してバッファメモリ２からディスク装置４へのデータの転送を開始するように指令を与えると共に、ディスク装置４に対して、ディスクへのデータの書き込み開始の指令を出す。圧縮回路１からバッファメモリ２へのデータ転送レートに比べて、バッファメモリ２からディスク装置４へのデータ転送レートは高く設定されているので、時間の経過と共に、バッファメモリ２に一時的に記憶されていた圧縮データは減少していき、バッファメモリ２の残量は増加していく。次に、時刻Ｔ２において、バッファメモリ２の残量が第２の設定値ＴＨ２を越えると、メモリコントローラ３は、それをシステムコントローラ５に通知する。これを受けてシステムコントローラ５は、メモリコントローラ３に対してバッファメモリ２からディスク装置４へのデータの転送を停止するように指令を与えると共に、ディスク装置４に対して、ディスクへのデータの書き込み停止の指令を出す。通常の動作時においては、これ以降、バッファメモリ２の残量がＴＨ１を下回るとディスク装置４へデータを書き込み、ＴＨ２を上回るとディスク装置４へのデータの書き込みを停止するということを繰り返す。また、このような通常の動作時においては、圧縮回路１においては、画像データも音声データも圧縮処理されており、また、付加データ発生回路１１は、動作していない。
【００４９】
さて、ここで時刻Ｔ３において衝撃のためディスク装置４へのデータの書き込みが出来なくなり、書き込み可能な状態に復帰するのに時刻Ｔ７までの時間を要したとする。バッファメモリ２の残量が時刻とともに減少していき、時刻Ｔ４において、第１の設定値ＴＨ１を下回るが、この時点ではまだディスク装置４はデータの書き込みをできない状態なので、システムコントローラ５はバッファメモリ２からディスク装置４へのデータ転送を行わない。このため、さらにバッファメモリ２の残量は、減少していく。時刻Ｔ５において、バッファメモリ２の残量が第３の設定値ＴＨ３を下回るとメモリコントローラ３は、それをシステムコントローラ５に通知する。これを受けてシステムコントローラ５は、圧縮回路１に画像データの圧縮処理を停止するように指令を与える。これに応じて圧縮回路１は、画像データの圧縮処理を停止し、音声データの圧縮処理のみを行なう。圧縮後の画像データのデータ量は前述のように４Ｍｂｐｓ程度であるが、音声データのデータ量は０．３Ｍｂｐｓ程度なので画像データの圧縮処理を停止することにより、バッファメモリ２へのデータの転送量は、１０分の１以下に減少する。画像情報の圧縮処理は、所定のデータ量からなるデータブロック毎に行われ、１つのデータブロックを処理している途中で圧縮処理を停止することはできないので、圧縮回路１が画像データの圧縮を停止するのは、システムコントローラ５からの指令を受けた時点において処理していたデータブロックの処理が完了し、つぎのデータブロックを処理する時刻Ｔ６からになる。時刻Ｔ６において、システムコントローラ５は、圧縮回路１における画像データの圧縮処理が停止されたことを検出し、それを表示装置６に表示する。具体的には、カメラ一体型ビデオレコーダーの場合、液晶を使ったモニタ画面を備えているので、画面中に画像データの圧縮処理を停止したことを表示する。また、表示素子としてＬＥＤを使い、画像データの圧縮処理を停止した時にＬＥＤを発光させるようにしてもよい。このように、表示を行なうことにより、使用者はそれに対応した措置を講じる事ができる。例えば、画像データの圧縮処理を停止した原因は、大きな振動や衝撃がカメラに加わったことにあるので、カメラに振動や衝撃が加わらないように使用者がカメラを保持することにより、ディスク装置４が衝撃による書き込み不能状態から復帰するまでの時間を短縮できる。液晶モニタにこのような使用方法の指示を表示しても良い。画像データの圧縮処理を停止した時刻Ｔ６をシステムコントローラ５は記憶しておく。時刻Ｔ６において画像データの圧縮処理を停止するため、圧縮回路１からバッファメモリ２へ転送されるデータの転送レートが下がる。これによりバッファメモリ２の残量の減少速度が低下し、図６（ａ）に示すように、Ｔ６の時点から傾きが緩やかになる。
【００５０】
その後、時刻Ｔ７において、システムコントローラ５は、ディスク装置４がデータ書き込み可能な状態になったことを検出し、バッファメモリ２からディスク装置４へのデータ転送を開始をメモリコントローラ３に指示する。これによりバッファメモリ２の残量は増加していく。これと同時にシステムコントローラ５は、圧縮回路１に画像データの圧縮処理を開始するように指示し、表示装置６に画像データの圧縮処理を開始したことを表示する。これを受けて圧縮回路１は、画像データの圧縮処理を開始する。また、システムコントローラ５は、画像データの圧縮処理を開始した時刻Ｔ７を記憶しておく。
【００５１】
さて、画像データは、Ｔ６からＴ７までの期間は圧縮処理されていないので、バッファメモリ２には、その期間の画像データはなく音声データのみが記憶されている。バッファメモリ２から、ディスク装置４へ転送するデータとしては、その期間については音声データのみとしてもよいが、使用者が後日ディスクを再生する時に、なぜ音声しか再生されないのかわからない。そこで、その期間については、付加データ発生回路１１で固定の画像データを発生させ、それをディスク装置４に転送する。具体的には、時刻Ｔ６およびＴ７をシステムコントローラ５は記憶しているので、この間の音声データをバッファメモリ２からディスク装置４に転送するときに、付加データ発生回路１１により付加する画像データを発生させるとともに、メモリコントローラ３に指令を与え、付加データ発生回路１１で発生した画像データをディスク装置４に転送させる。付加する画像としては、画像の圧縮を停止した事を明示するものがよいが、単純な風景のようなものでも良い。また、画像データの圧縮処理を停止する直前の画像を静止画像として発生させても良い。これ以降は通常の動作を繰り返していく。
【００５２】
図６（ａ）においてＴ６からＴ７までの間画像データの圧縮処理を停止することによって、バッファメモリ２の残量の減少速度が低下している。これは、バッファメモリ２が０になるまでの時間が長くなることを意味し、ディスク装置が書き込み不能状態から復帰するまでの時間に余裕ができることになる。また、バッファメモリ２の残量が０になるまでの時間を同一とすれば使用するメモリ量を低減できる。この点について、さらに詳しく説明する。一例として、１６Ｍｂのメモリをバッファメモリ２に使用し、初めの３．５秒間は４．３Ｍｂｐｓの転送レートでメモリにデータを送り、その後画像データの圧縮処理を停止し、データ転送レートが０．３Ｍｂｐｓとなる場合に、バッファメモリ２の残量が０になるまでの時間を計算すると、３．５ｓ＋（１６Ｍｂ−４．３Ｍｂｐｓ×３．５ｓ）／０．３Ｍｂｐｓ＝６．２ｓとなる。バッファメモリ２の残量が０になるまでに６．２秒を要することから、ディスク装置が書き込み不能状態から復帰するまでに最大６．２秒の余裕があることがわかる。従来の装置のように画像データと音声データを常に圧縮処理する場合、データ転送レートは、４．３Ｍｂｐｓ固定なので、１６Ｍｂ／４．３Ｍｂｐｓ＝３．７ｓとなり、３．７秒しか余裕がないので、本発明による第２の実施の形態では、復帰時間が約１．７倍に延ばせることがわかる。逆に６．２秒の復帰時間を確保するためのバッファメモリ量を計算すると、従来の装置では、４．３Ｍｂｐｓ×６．２ｓ＝２７Ｍｂとなり、本発明の第２の実施の形態では、約４０％メモリ量を削減できることがわかる。このように、本発明の第２の実施の形態によれば、バッファメモリ量の大幅な削減あるいは書き込み不能状態からの復帰時間の余裕の増加が実現できる。
【００５３】
以上説明した第２の実施の形態においては、画像データと音声データの２つのデータを圧縮処理する例について述べたが、３つ以上のデータを圧縮処理する場合にも応用可能である。この場合、３つ以上のデータのどれを停止するかを制御しなければならないので制御が複雑になるが、データ転送レートを大幅に低減できる利点がある。
【００５４】
第２の実施の形態においては、バッファメモリの残量がＴＨ３を下回った時点で画像の圧縮を停止したが、ディスク装置４が記録不能状態になった時点Ｔ３において画像の圧縮を停止し、ディスク装置４が記録可能になった時点Ｔ７で画像の圧縮を開始するようにしても良い。この場合、第２の実施の形態に比べて早い時点で画像の圧縮を停止することになるので、画像データの無い期間が長くなることになる。しかし、第２の実施の形態に比べ更にバッファメモリを削減できる。
【００５５】
また、第２の実施の形態においては、ディスク装置４がデータ書き込み可能な状態になったことを検出し、画像データの圧縮処理を開始するようにしたが、第１の実施の形態において説明したのと同様に、バッファメモリ２の残量が所定値以上になったときに画像データの圧縮処理を開始するようにしてもよい。こすることにより、バッファメモリ２の残量に余裕ができた時点で画像データの圧縮を開始することになるので、連続して発生する衝撃による記録不能状態に対してもバッファメモリ２の残量が０になるまでの時間に余裕ができる。
【００５６】
【発明の効果】
本発明によれば、以下のような効果が得られる。
【００５７】
（１）記憶装置が記憶不能状態のときには、情報量の圧縮率を高くするので、一時記憶手段の記憶容量を小さくでき、その結果、安価で耐震性能の高い装置を実現できる。特に、光ディスク装置の光ピックアップは重いので、記録不能な時間が長くなるため、さらに大きな効果を得られる。
【００５８】
（２）記憶装置が記憶不能状態のときには、複数種の情報のうち一部の情報のみを圧縮するので一時記憶手段の記憶容量を小さくでき、その結果、安価で耐震性能の高い装置を実現できる。
【００５９】
（３）圧縮率を高くしたとき、もしくは、圧縮する情報の数を減らしたとき、それを表示するので使用者は、それに応じた対応をとる事ができる。
【図面の簡単な説明】
【図１】第１の実施の形態における圧縮情報記憶装置のブロック図である。
【図２】第１の実施の形態における圧縮情報記憶装置のバッファメモリの残量の時間的な変化と圧縮率の時間的な変化を示す図である。
【図３】第１の実施の形態における圧縮情報記憶装置の他の場合のバッファメモリの残量の時間的な変化と圧縮率の時間的な変化を示す図である。
【図４】第１の実施の形態における圧縮情報記憶装置の動作を示すフローチャートである。
【図５】第２の実施の形態における圧縮情報記憶装置のブロック図である。
【図６】第２の実施の形態における圧縮情報記憶装置のバッファメモリの残量の時間的な変化と圧縮状態の時間的な変化を示す図である。
【図７】従来の圧縮情報記憶装置のブロック図である。
【図８】従来の圧縮情報記憶装置のバッファメモリの残量の時間的な変化を示す図である。
【符号の説明】
１ 圧縮回路
２ バッファメモリ
３ メモリコントローラ
４ ディスク装置
５ システムコントローラ
６ 表示装置
７ Ａ／Ｄ変換器
８ カメラ部
９ 音声部
１０ Ａ／Ｄ変換器
１１ 付加データ発生回路